(57)【要約】【課題】人体の健康及び環境の改善に有効な遠赤外線放射機能を有する木製品を提供する。【解決手段】使用面２１を有する基盤２と、基盤２の使用面２１に形成され、遠赤外線放射性ナノ粒子を複数含む遠赤外線を放射する機能を備えた機能層３と、機能層３が擦り減ることを防ぐことができるように機能層３上に形成された保護層４と、を備えている。【選択図】図１
0003165643.tif 000002
【実用新案登録請求の範囲】
【請求項１】
使用面を有する基盤と、
前記基盤の使用面に形成され、遠赤外線放射性ナノ粒子を複数含む遠赤外線を放射する機能を備えた機能層と、
前記機能層が擦り減ることを防ぐことができるように前記機能層上に形成された保護層と、を備えていることを特徴とする遠赤外線放射機能を有する木製品。
【請求項２】
前記機能層として、接着性材料を含むことを特徴とする請求項１に記載の遠赤外線放射機能を有する木製品。
【請求項３】
前記基盤の使用面と前記機能層との間に、中間保護層を更に有することを特徴とする請求項１に記載の遠赤外線放射機能を有する木製品。
【請求項４】
前記保護層上に、遠赤外線放射性ナノ粒子を複数含む遠赤外線を放射する機能を備えた機能補強層を更に形成したことを特徴とする請求項１に記載の遠赤外線放射機能を有する木製品。
【請求項５】
前記機能補強層上に第２の保護層が更に形成されたことを特徴とする請求項４に記載の遠赤外線放射機能を有する木製品。
【考案の詳細な説明】
【技術分野】
【０００１】
本考案は、遠赤外線放出機能を有する木製品に関する。
【背景技術】
【０００２】
遠赤外線は、可視光の赤色よりも波長が長く、電波よりも波長が短い電磁波であり、生体の皮膚に照射すると、体内に吸収、浸透され、細胞分子との共鳴、共振作用により細胞を活性化させることができる。それにより細胞の働きが良くなり、血液循環が促進され、栄養分や酸素等を体内の隅々に運搬し、また、代謝の老廃物を体外へ運び出す等の効果をもたらす。このように遠赤外線は人体にとって非常に有効であり、医療においても様々な治療に用いられている。
【０００３】
一般的に酸化アルミニウム、酸化ジルコニウム、二酸化チタン、三酸化イットリウム等の遠赤外線放射機能を有する鉱物粒子を織物、フィルター、スポンジ、セメント塗料等の材料中に混ぜ合わせ、特殊な加工処理を施すことで製造された、遠赤外線放射性粒子を含有した寝具や衣類等の生活用品が知られている。これらは適度な保温効果以外にも除臭、殺菌又は細菌による感染の予防等の効果を備えている。このように遠赤外線放射効果により、一般の生活用品に付加価値を持たせることができる。
【０００４】
また、近年の工業化、科学技術の発展により毒素、細菌、化学物質等、健康に有害な物質が、避けられないものとして生活環境中に存在している。遠赤外線は、このような環境中の有害物質を除去する効果も備えているので、遠赤外線放射機能を有する製品を使用することにより、健康的な生活環境を確保することができる。よって、遠赤外線放射機能を有する製品の需要は極めて大きい。
【考案の概要】
【考案が解決しようとする課題】
【０００５】
本考案は、遠赤外線放射機能を有する木製品を提供することを目的とする。
【課題を解決するための手段】
【０００６】
上記目的を達成するために、本考案の遠赤外線放射機能を有する木製品は、使用面を有する基盤と、前記基盤の使用面に形成され、遠赤外線放射性ナノ粒子を複数含む遠赤外線を放射する機能を備えた機能層と、前記機能層が擦り減ることを防ぐことができるように前記機能層上に形成された保護層とを備えている。
【考案の効果】
【０００７】
本考案の遠赤外線放射機能を有する木製品は、生体の健康及び環境の改善に有効である。
【図面の簡単な説明】
【０００８】
【図１】本考案における第１の実施形態の実施例１に係る遠赤外線放射機能を有する木製品を示す図である。
【図２】本考案における第１の実施形態の実施例２に係る遠赤外線放射機能を有する木製品を示す図である。
【図３】本考案における第１の実施形態の実施例３に係る遠赤外線放射機能を有する木製品を示す図である。
【図４】本考案における第１の実施形態の実施例４に係る遠赤外線放射機能を有する木製品を示す図である。
【図５】本考案における第１の実施形態の実施例５に係る遠赤外線放射機能を有する木製品を示す図である。
【図６】本考案における第１の実施形態の実施例６に係る遠赤外線放射機能を有する木製品を示す図である。
【図７】本考案における第１の実施形態の実施例７に係る遠赤外線放射機能を有する木製品を示す図である。
【図８】本考案における第１の実施形態の実施例８に係る遠赤外線放射機能を有する木製品を示す図である。
【図９】本考案における第２の実施形態の実施例１に係る遠赤外線放射機能を有する木製品を示す図である。
【図１０】本考案における第２の実施形態の実施例２に係る遠赤外線放射機能を有する木製品を示す図である。
【図１１】本考案における第２の実施形態の実施例３に係る遠赤外線放射機能を有する木製品を示す図である。
【図１２】本考案における第２の実施形態の実施例４に係る遠赤外線放射機能を有する木製品を示す図である。
【図１３】本考案における第２の実施形態の実施例５に係る遠赤外線放射機能を有する木製品を示す図である。
【図１４】本考案における第２の実施形態の実施例６に係る遠赤外線放射機能を有する木製品を示す図である。
【考案を実施するための形態】
【０００９】
以下、本考案の実施形態を図面に基づいて説明する。なお、同一構成及び機能を有する構成要素については、同一番号を付してその説明を省略する。
（第１の実施形態）
本考案の第１の実施形態の実施例１〜８に係る遠赤外線放射機能を有する木製品を図１〜図８を用いて説明する。
【００１０】
[実施例１]
図１に示されるように、第１の実施形態の実施例１に係る遠赤外線放射機能を有する木製品は、基盤２と、基盤２上に設けられた機能層３と、機能層３上に設けられ、機能層３が擦り減ることを防ぐことができる保護層４とを備えている。
基盤２は、木材により形成されており、例えば上面に使用面２１を有する。本実施形態においては、基盤２は三枚の木板を張り合わせた合板になっている。なお、基盤２の材質はこれに限らない。
【００１１】
機能層３は、基盤２の使用面２１に、遠赤外線を放射する性質を持った機能性ナノ粒子を複数含む遠赤外線を放射する機能を備えたスラリーを塗布して形成される。機能性ナノ粒子を含むスラリーは、この例において複数の遠赤外線放射性ナノ粒子と接着性スラリー原料を所定比率で混合して成るものであって、遠赤外線放射性ナノ粒子としての酸化亜鉛と接着性スラリー原料とが、１０：９０〜４０：６０の比率で混合されることが好ましい。本実施形態においては、遠赤外線放射性ナノ粒子と溶剤とが、３０：７０の比率で調合され、遠赤外線放射性ナノ粒子として酸化亜鉛の粒子を使用している。
【００１２】
保護層４は、木質繊維により形成されており、機能層３上に貼り付けられ、機能層３と反対側の表面４１を有する。本実施形態において保護層４１は、木目状の薄膜シートであり、接着性機能層３によって基盤２上に安定して貼り付けられている。
【００１３】
よって、保護層４により、木材質の質感と木目模様の外観を有する木製品が製造され、また、機能層３が保護されて木製品の使用中に機能層３が擦り減ったり剥げ落ちたりすることを防ぐことができる。即ち品質が維持され、遠赤外線効果を持続して発揮できる健康用品としての木製品を製造することができる。
【００１４】
[実施例２]
図２に示されるように、実施例２の遠赤外線放射機能を有する木製品は、実施例１の遠赤外線放射機能を有する木製品と略同様であるが、以下はその相違点のみについて説明する。
実施例２の遠赤外線放射機能を有する木製品は、保護層４の表面４１に、複数の遠赤外線放射性ナノ粒子を含む遠赤外線を放射する機能を備えた機能補強層５を更に形成している。機能補強層５は、機能性ナノ粒子を含むスラリーを塗布して形成されているが、この実施形態において、該スラリーは複数の機能性ナノ粒子を含むと共に保護層４内にしみ込ませることができる浸透性材料をも含む。
【００１５】
該スラリーは、複数の遠赤外線放射性ナノ粒子と溶剤を所定比率で混合して成るものであって、遠赤外線放射性ナノ粒子と溶剤とが、１０：９０〜４０：６０の比率で混合されることが好ましい。溶剤は特に限定しないが、有機溶剤、天然植物油、又はそれらの混合液であることが好ましい。なお、環境保全のために溶剤として天然植物油を用いることが好ましく、例えばオリーブ油、ヤシ油、亜麻仁油又はこれらの混合液であることが好ましい。なお、本実施例においても、遠赤外線放射性ナノ粒子として酸化亜鉛の粒子を使用している。
【００１６】
植物油等の油性溶剤と遠赤外線放射性ナノ粒子とを混合したスラリーが表面４１に塗布されると、スラリーに含まれる浸透性材料が遠赤外線放射性ナノ粒子と共に木質繊維からなった保護層４内部に形成されている隙間に徐々に浸透していき、保護層４の木質繊維を結合させ、遠赤外線放射性ナノ粒子を保護層４内に安定に固定させる。
【００１７】
よって、当該機能補強層５が保護層４内部にまで浸透することにより保護層４と離反しにくいように密着するので、遠赤外線放射性ナノ粒子が脱離し難くなり、木製品の遠赤外線効果を長く保つことができる。
また、機能性接合層３上に更に機能補強層５が設けられたことにより、２重の遠赤外線放射機能を備えたことになり、遠赤外線効果を更に向上させることができる。
【００１８】
[実施例３]
図３に示されるように、実施例３の遠赤外線放射機能を有する木製品は、実施例２の遠赤外線放射機能を有する木製品と略同様であるが、以下はその相違点のみについて説明する。
実施例３の遠赤外線放射機能を有する木製品は、機能補強層５上に第２の保護層６を更に形成している。第２の保護層６は、機能補強層５上にその表面が均等に覆われるように、例えばスプレーで所定の色の紫外線硬化性塗料を塗布した後、紫外線を照射して硬化させることで、機能補強層５と密着して形成される。
【００１９】
従って、該第２の保護層６を形成することによって、機能補強層５を保護し機能補強層５の遠赤外線放射機能の低下を防ぐことができる。
また、第２の保護層６は、色付紫外線硬化性塗料を塗布して形成されたので、木製品の外装を装飾でき、外観を向上させる効果をも有する。
【００２０】
[実施例４]
図４に示されるように、実施例４の遠赤外線放射機能を有する木製品は、実施例３の遠赤外線放射機能を有する木製品と略同様であるが、以下はその相違点のみについて説明する。
実施例４の遠赤外線放射機能を有する木製品は、機能補強層５と第２の保護層６との間に第１の中間保護層７１を更に形成している。第１の中間保護層７１は、紫外線硬化塗料からなり、機能補強層５上に、例えばスプレーで紫外線硬化塗料を噴射して塗布した後、紫外線を照射して硬化させることにより形成される。続いて、紫外線硬化塗料を塗布、紫外線照射することにより、第２の保護層６が形成される。
【００２１】
よって、機能補強層５上に２重の保護構造層が形成されるので、遠赤外線照射機能を有する機能補強層５をより破損され難くすることができる。
【００２２】
[実施例５]
図５に示されるように、実施例５の遠赤外線放射機能を有する木製品は、実施例４の遠赤外線放射機能を有する木製品と略同様であるが、以下はその相違点のみについて説明する。
実施例５の遠赤外線放射機能を有する木製品は、第１の中間保護層７１と第２の保護層６との間に第２の中間保護層７２を更に形成している。第２の中間保護層７２の材質及び形成方法は、第１の中間保護層７１と同様であるため、ここでの説明は省略する。
【００２３】
よって、機能増強層５上に３重の保護構造層が形成されるので、機能性保護層５を保護する効果が更に向上し、木製品の遠赤外線放射効果を長く維持することができる。
【００２４】
[実施例６]
図６に示されるように、実施例６の遠赤外線放射機能を有する木製品は、実施例１の遠赤外線放射機能を有する木製品と略同様であるが、以下はその相違点のみについて説明する。
実施例６の遠赤外線放射機能を有する木製品は、第１の保護層４の表面４１に形成された第３の中間保護層７３と、第３の中間保護層７３上に形成されて複数の遠赤外線放射性ナノ粒子を含む遠赤外線を放射する機能を備えた機能層８と、機能層８上に形成された第２の保護層６とを更に有する。
第３の中間保護層７３の材質及び形成方法は、第１の中間保護層７１と同様であるため、ここでの説明は省略する。
【００２５】
機能層８は、第３の中間保護層７３に、遠赤外線を放射する性質を持った機能性ナノ粒子を含むスラリーをスプレー等で塗布して形成される。該スラリーは複数の遠赤外線放射性ナノ粒子と溶剤を所定比率で混合して成るものであって、遠赤外線放射性ナノ粒子と溶剤とが、１０：９０〜４０：６０の比率で混合されることが好ましい。溶剤は有機溶剤、天然植物油、水又はそれらの混合液であることが好ましい。なお、赤外線ナノ粒子として酸化亜鉛の粒子を使用している。
【００２６】
よって、機能層３と機能増強層８とにより、２重の遠赤外線放射機能を有する層が形成されることになり、遠赤外線効果を更に増強させることができる。
また、第３の中間保護層７３が第１の保護層４を保護する効果と機能層８と第１の保護層４を密着させる効果とを有する上、第２の保護層６によって機能層８が擦り減ったり剥げ落ちたりすることを防ぐことにより、機能層８の遠赤外線放射機能の低下を防ぐことができる。
【００２７】
[実施例７]
図７に示されるように、実施例７の遠赤外線放射機能を有する木製品は、実施例６の遠赤外線放射機能を有する木製品と略同様であるが、以下はその相違点のみについて説明する。
実施例７の遠赤外線放射機能を有する木製品は、機能増強層８と第２の保護層６との間に第４の中間保護層７４を更に形成している。第４の中間保護層７４の材質及び形成方法は、第１の中間保護層７１と同様であるため、ここでの説明は省略する。
【００２８】
よって、機能層８上に２重の保護構造を備えたことにより、機能層８を保護する効果が更に高まり、機能層８の遠赤外線放射効果を長く維持することができる。
【００２９】
[実施例８]
図８に示されるように、実施例８の遠赤外線放射機能を有する木製品は、実施例６の遠赤外線放射機能を有する木製品と略同様であるが、以下はその相違点のみについて説明する。
実施例８の遠赤外線放射機能を有する木製品は、第４の中間保護層７４と機能層８との間に第５の中間保護層７５を更に形成している。第５の中間保護層７５の材質及び形成方法は、第１の中間保護層７１と同様であるため、ここでの説明は省略する。
【００３０】
よって、第１の保護層４上に３重の保護構造を備えたことにより、第１の保護層４とその内側を保護する効果が更に向上する上、第４の中間保護層７４と第５の中間保護層７５とにより機能層８と第１の保護層４とを密着させることができ、第１の保護層４をより完全に保護することにより木製品の強度が向上する。
【００３１】
（第２の実施形態）
本考案の第２の実施形態の実施例１〜５に係る遠赤外線放射機能を有する木製品を図９〜図１３を用いて説明する。
[実施例１]
図９に示されるように、第２の実施形態の実施例１の遠赤外線放射機能を有する木製品は、基盤９１と、基盤９１に設けられた機能層９２と、機能層９２上に設けられ、機能層３が擦り減ることを防ぐことができる保護層９３とを備えている。
【００３２】
基盤９１は、例えば上面に使用面９１１を有する。また、基盤９１の材質は特に制限されず、木材質、複合板材質、プラスチック材質からなることが好ましい。なお、本実施形態においては、基盤９１として木材質を使用している。
機能層９２は、基盤９１の使用面９１１に、遠赤外線を放射する性質を持った機能性ナノ粒子を含むことで遠赤外線を放射する機能を備えたスラリーをスプレー等で塗布した後、乾燥して形成される。機能性ナノ粒子を含むスラリーは、複数の遠赤外線放射性ナノ粒子と溶剤を所定比率で混合して成るものであって、遠赤外線放射性ナノ粒子として酸化亜鉛が使用され、遠赤外線放射性ナノ粒子と溶剤とが、１０：９０〜４０：６０の比率で混合されることが好ましい。
【００３３】
本実施形態においては、遠赤外線放射性ナノ粒子と溶剤とが、３０：７０の比率で混合されている。溶剤は有機溶剤、天然植物油、水又はそれらの混合液であることが好ましい。なお、基盤９１の材質によって適当な溶剤を使用することが好ましく、例えば、基盤９１がプラスチック材質である場合、水を溶剤として良いが、基盤９１が木材質である場合、天然植物油を溶剤とすることにより、機能性ナノ粒子を含むスラリーが基盤９１の使用面９１１に塗布されると、遠赤外線放射性ナノ粒子と共に基盤９１内に徐々に浸透していき、基盤９１の木質繊維を結合させ、一部の遠赤外線放射性ナノ粒子を基盤９１内に安定に固定させることができる。
【００３４】
保護層９３は、機能層９２上に例えばスプレーで所定の色の紫外線硬化性塗料を塗布した後、紫外線を照射して硬化させることで、機能層９２と密着して形成される。
【００３５】
よって、基盤９１の使用面９１１に、遠赤外線放射効果を備えた機能層９２が形成されるだけでなく、当該機能層９２が基盤９１内部にまで浸透することにより基盤９１と離反し難いように密着するので、遠赤外線放射性ナノ粒子が脱離し難くなり、木製品の遠赤外線効果を長く保つことができる。更に、保護層９３により機能性保護層９２が擦り減ったり剥げ落ちたりするのを防ぐことができるので、赤外線放射機能の低下を防ぐことができる。なお、基盤９１の形状に特に制限はなく、板状、筐体状又は特定の形状になっている。
【００３６】
よって、本考案の木製品はフローリング板、木製のシャープペンシルの本体、木製の定規、木製マウスの本体、木製キーボード、携帯電話の本体、ノートパソコンの本体、デジタルカメラの本体、ＰＤＡの本体、電子ブックの本体等の電子製品の本体に利用することができる。このような製品は全て、機能層９２により、遠赤外線放射機能を有する。
【００３７】
[実施例２]
図１０に示されるように、実施例２の遠赤外線放射機能を有する木製品は、実施例１の遠赤外線放射機能を有する木製品と略同様であるが、以下はその相違点のみについて説明する。
実施例２の遠赤外線放射機能を有する木製品は、基盤９１の使用面９１１と機能層９２との間に第１の中間保護層９４を更に形成している。なお、第１の中間保護層９４もまた紫外線硬化型塗料により形成されている。
【００３８】
よって、基盤９１上に第１の中間保護層９４を塗布して形成した後、機能層９２を形成することにより、第１の中間保護層９４を介して、機能層９２と基盤９１とを密着させることができ、基盤９１を更に保護することができる。
【００３９】
[実施例３]
図１１に示されるように、実施例３の遠赤外線放射機能を有する木製品は、実施例２の遠赤外線放射機能を有する木製品と略同様であるが、以下はその相違点のみについて説明する。
実施例３の遠赤外線放射機能を有する木製品は、機能層９２と保護層９３との間に第２の中間保護層９５を更に形成した５層構造になっている。第２の中間保護層９５の材質及び形成方法は、第１の中間保護層９４と同様であるため、ここでの説明は省略する。
【００４０】
よって、機能層９２上に２重の保護構造が形成されるので、機能層９２をより破損されにくくすることができる。
【００４１】
[実施例４]
図１２に示されるように、実施例４の遠赤外線放射機能を有する木製品は、実施例２の遠赤外線放射機能を有する木製品と略同様であるが、以下はその相違点のみについて説明する。
実施例４の遠赤外線放射機能を有する木製品は、第１の中間保護層９４と機能層９２との間に第３の中間保護層９６を更に形成した５層構造になっている。第３の中間保護層９６の材質及び形成方法は、第１の中間保護層９４と同様であるため、ここでの説明は省略する。
【００４２】
よって、基盤９１の使用面９１１上に３重の保護構造が形成されるので、基盤９１を保護する効果が更に向上する上、第１の中間保護層９４及び第３の中間保護層９６により、機能層９２と比較的弱い材質で形成された基盤９１とを密着させることができ、基盤９１をより完全に保護することができ、木製品の強度が向上する。
【００４３】
[実施例５]
図１３に示されるように、実施例５の遠赤外線放射機能を有する木製品は、実施例１の遠赤外線放射機能を有する木製品と略同様であるが、以下はその相違点のみについて説明する。
実施例５の遠赤外線放射機能を有する木製品は、機能層９２と保護層９３との間に第４の中間保護層９７を更に形成した４層構造になっている。第４の中間保護層９７の材質及び形成方法は、第１の中間保護層９４と同様であるため、ここでの説明は省略する。
【００４４】
よって、機能層９２上に２重の保護構造が形成されるので、機能層９２を保護する効果が更に向上する。
【００４５】
[実施例６]
図１４に示されるように、実施例６の遠赤外線放射機能を有する木製品は、実施例５の遠赤外線放射機能を有する木製品と略同様であるが、以下はその相違点のみについて説明する。
実施例６の遠赤外線放射機能を有する木製品は更に、第４の中間保護層９７と保護層９３との間に、第５の中間保護層９８を更に形成した５層構造になっている。第５の中間保護層９８の材質及び形成方法は、第１の中間保護層９４と同様であるため、ここでの説明は省略する。
【００４６】
よって、機能層９２上に３重の保護構造が形成されるので、機能層９２をより完全に保護することができる。即ち頻繁に使用される製品や、摩損し易い木製品に適し、赤外線放射効果を長く維持することができる。
【符号の説明】
【００４７】
２、９１  基盤
３、９２  機能層
４  第１の保護層
５、８  機能補強層
６  第２の保護層
７１〜７５  中間保護層
９３  保護層
９４〜９８  中間保護層
【図１】
0003165643.tif 000003
【図２】
0003165643.tif 000004
【図３】
0003165643.tif 000005
【図４】
0003165643.tif 000006
【図５】
0003165643.tif 000007
【図６】
0003165643.tif 000008
【図７】
0003165643.tif 000009
【図８】
0003165643.tif 000010
【図９】
0003165643.tif 000011
【図１０】
0003165643.tif 000012
【図１１】
0003165643.tif 000013
【図１２】
0003165643.tif 000014
【図１３】
0003165643.tif 000015
【図１４】
0003165643.tif 000016